(57)【要約】【課題】  割りピンの着脱作業時、治具の一部が碍子本体の笠部に接触することなく、キャップ金具に対する割りピンの引き出しおよび押し込みを容易かつ確実に行う。【解決手段】  碍子本体２の一方の側にキャップ金具３が固定され、碍子本体２の他方の側にピン金具４が固定された碍子１を複数個配列させた状態で、隣接する二つの碍子１のうち、一方の碍子１におけるキャップ金具３と他方の碍子１におけるピン金具４とを連結する割りピン１２を着脱する割りピン着脱治具であって、棒状の治具本体３２の一端に設けられ、割りピン１２の環状頭部１３に引っ掛けられる鉤状フック部３３と、治具本体３２の他端に設けられ、割りピン１２の環状頭部１３に被せられる凹陥状カップ部３４と、治具本体３２のフック部３３とカップ部３４との間に設けられ、治具本体３２に沿って割りピン１２の着脱方向に打撃力が付与される円環状スリット部３５とで構成されている。【選択図】    図２
2014050237.tif 000002
【特許請求の範囲】
【請求項１】
碍子本体の一方の側にキャップ金具が固定され、前記碍子本体の他方の側にピン金具が固定された碍子を複数個配列させた状態で、隣接する二つの碍子のうち、一方の碍子におけるキャップ金具と他方の碍子におけるピン金具とを連結する割りピンを着脱する割りピン着脱治具であって、
棒状の治具本体の一端に設けられ、前記割りピンの環状頭部に引っ掛けられる鉤状フック部と、前記治具本体の他端に設けられ、前記割りピンの環状頭部に被せられる凹陥状カップ部と、前記治具本体のフック部とカップ部との間に設けられ、前記治具本体に沿って割りピンの着脱方向に打撃力が付与される打撃部とで構成されていることを特徴とする割ピン着脱治具。
【請求項２】
前記打撃部は、治具本体に沿って延びる円環状スリット部で構成され、打撃力を付与するための工具をスリット部に挿入した状態で、前記工具をスリット部に沿って移動可能とし、前記スリット部の端部で工具を当接させることにより打撃力を付与可能とした請求項１に記載の割りピン着脱治具。
【請求項３】
前記治具本体のカップ部と打撃部との間に屈曲部を設け、前記屈曲部からカップ部までの先端部位と、前記屈曲部から打撃部までの基端部位とを平行配置した請求項１又は２に記載の割りピン着脱治具。
【発明の詳細な説明】
【技術分野】
【０００１】
本発明は、複数個の碍子を連結するための割りピンを碍子から引き出すことにより碍子を分離可能にすると共に、割りピンを碍子に押し込むことにより碍子を連結可能にする割りピン着脱治具に関する。
【背景技術】
【０００２】
例えば、ボールソケット型懸垂碍子１は、図１０に示すように、磁器製の笠状碍子本体２と、その碍子本体２の上部に固定された金属製のキャップ金具３と、碍子本体２の下部に固定された金属製のピン金具４とで構成されている（例えば、特許文献１参照）。この種の懸垂碍子１は、上下方向に複数個配列させた状態で、上側に位置する碍子本体２に固定されたピン金具４と、下側に位置する碍子本体２に固定されたキャップ金具３とを連結して送電線を絶縁支持する形態を採用している。
【０００３】
この懸垂碍子１の碍子本体２は、頭部５と笠部６とからなり、この頭部５の外周にキャップ金具３を被嵌してセメント材７で接着し、頭部５の内周にピン金具４を挿入してセメント材８で接着している。キャップ金具３は釣鐘状をなし、その上部にピン金具４が挿入配置される凹部９が形成されている。この凹部９は、ピン金具４が挿通可能なように上方に開口すると共に、ピン金具４が出し入れ可能なように側方に開口している（図１１および図１２参照）。キャップ金具３の下部には襞部１０が形成されている。ピン金具４は棒状をなし、その下端に大径部１１が形成されている。
【０００４】
懸垂碍子１の連結構造は、図１１および図１２に示すように、ピン金具４の大径部１１をキャップ金具３の凹部９に配置し、ピン金具４の大径部１１とキャップ金具４の凹部９の底面との間に割りピン１２を介在させる。これにより、ピン金具４の大径部１１をその大径部１１よりも幅狭となっている凹部９の上方開口周縁に押し当てることで、キャップ金具３に対してピン金具４を固定している。キャップ金具３とピン金具４とを連結状態で固定する割りピン１２は、環状の頭部１３とその頭部１３から延びる二つの脚部１４とからなり、その両脚部１４の先端を拡開させた形状をなす。この割りピン１２は、キャップ金具３の側部に形成されて凹部９と連通する孔１５に挿通され、その頭部１３がキャップ金具３の外部に露呈した状態で配置されている。
【０００５】
以上のように、キャップ金具３の凹部９に配置されたピン金具４の大径部１１を割りピン１２の脚部１４でキャップ金具３の上方開口周縁に押し当てることにより、キャップ金具３とピン金具４とを連結しているが、懸垂碍子１の交換時などにキャップ金具３とピン金具４との連結状態を解除する必要がある。その連結状態を解除する場合には、図１３および図１４に示すように、割りピン１２の頭部１３をキャップ金具３から引き出すことにより、割りピン１２の脚部１４が、ピン金具４の大径部１１とキャップ金具３の凹部９の底面との間に介在しなくなる。その結果、ピン金具４の大径部１１がキャップ金具３の上方開口周縁に押し当てられた状態が解除され、ピン金具４の大径部１１がキャップ金具３の凹部９の側方から抜脱可能となる。なお、割りピン１２の引き出し時、脚部１４の先端が拡開していることから、割りピン１２が完全にキャップ金具３の孔１５から抜け出てしまうことはない。キャップ金具３とピン金具４とを連結する場合には、ピン金具４をキャップ金具３の凹部９にその側方から挿入した状態で、割りピン１２の頭部１３をキャップ金具３に押し込むことにより、ピン金具４の大径部１１とキャップ金具３の凹部９の底面との間に割りピン１２の脚部１４を介在させればよい。
【０００６】
このように、割りピン１２の頭部１３を懸垂碍子１のキャップ金具３から引き出すことにより懸垂碍子１を分離可能にすると共に、割りピン１２の頭部１３を懸垂碍子１のキャップ金具３に押し込むことにより懸垂碍子１を連結可能にする手段として、従来、専用治具を使用している。従来の治具２１は、図１５に示すように、帯板状の把持部２２と、その把持部２２の先端に一体的に形成された三日月形状の引出し部２３と、把持部２２の基端に一体的に形成された押込み部２４とからなる構造を具備する。引出し部２３は、一方の先端を外側へ若干彎曲させた尖端状の係止部２５と、他方の先端をキャップ金具３の襞部１０の形状に合致させた凹状の支持部２６とで構成されている。一方、押込み部２４は、割りピン１２の頭部１３の外形形状に合致させた凹状をなす。
【０００７】
この治具２１を用いた割りピン１２の着脱作業は以下の要領に基づく。まず、割りピン１２をキャップ金具３から引き出すに際しては、図１６に示すように、治具２１の支持部２６をキャップ金具３の襞部１０に合わせて当接させると共に係止部２５をキャップ金具３の孔１５から露呈する割りピン１２の頭部１３に引っ掛ける。作業者は、治具２１の把持部２２を持って、テコの原理を利用することにより支持部２６を中心に係止部２５を外側へ回動させる。これにより、図１７に示すように、割りピン１２の頭部１３がキャップ金具３の孔１５から引き出され、ピン金具４の大径部１１とキャップ金具３の凹部９の底面との間に介在していた割りピン１２の脚部１４を外すことで、ピン金具４の大径部１１がキャップ金具３の上方開口周縁に押し当てられた状態が解除され、ピン金具４の大径部１１がキャップ金具３の凹部９の側方から抜脱可能となる。その結果、キャップ金具３とピン金具４との連結状態が解除され、懸垂碍子１が分離可能となる。
【０００８】
一方、割りピン１２をキャップ金具３に押し込むに際しては、ピン金具４をキャップ金具３の凹部９にその側方から予め挿入配置しておく。そして、図１８に示すように、治具２１の押込み部２４をキャップ金具３の孔１５から引き出された割りピン１２の頭部１３に当接させた状態で、作業者は治具２１の把持部２２を持ち、モンキー等の工具２７を用いて引出し部２３に打撃力を付与する。この打撃力の付与により、割りピン１２の頭部１３を押込み部２４でキャップ金具３の孔１５に押し込むことで、図１９に示すように、ピン金具４の大径部１１とキャップ金具３の凹部９の底面との間に割りピン１２の脚部１４が入り込む。その結果、キャップ金具３の凹部９に配置されたピン金具４の大径部１１を割りピン１２の脚部１４でキャップ金具３の上方開口周縁に押し当てることにより、キャップ金具３に対してピン金具４が固定され、懸垂碍子１が連結可能となる。
【先行技術文献】
【特許文献】
【０００９】
【特許文献１】特開平５−２８２９４２号公報
【発明の概要】
【発明が解決しようとする課題】
【００１０】
ところで、従来の治具２１を用いた割りピン１２の着脱作業において、キャップ金具３とピン金具４との連結状態を解除するに際しては、前述したように、治具２１の支持部２６をキャップ金具３の襞部１０に合わせて当接させると共に係止部２５をキャップ金具３の孔１５から露呈する割りピン１２の頭部１３に引っ掛ける。作業者は、治具２１の把持部２２を持って、テコの原理を利用することにより支持部２６を中心に係止部２５を外側へ回動させることで、割りピン１２の頭部１３をキャップ金具３の孔１５から引き出すようにしている。
【００１１】
しかしながら、前述の作業中、治具２１の一部が碍子本体２の笠部６に接触し、その笠部６を破損するおそれがある。例えば、治具２１の引出し部２３の回動時、係止部２５が割りピン１２の頭部１３から外れてその近傍に位置する碍子本体２の笠部６に接触し、その笠部６を破損するおそれがある。また、治具２１が適合するサイズの懸垂碍子１と異なるサイズの懸垂碍子１に対しては、治具２１の支持部２６をキャップ金具３の襞部１０に合わせることができず、係止部２５を外側へ回動させて割りピン１２の頭部１３を引き出すことが困難となる。
【００１２】
一方、キャップ金具３とピン金具４とを連結するに際しては、前述したように、治具２１の押込み部２４をキャップ金具３の孔１５から引き出された割りピン１２の頭部１３に当接させた状態で、作業者は治具２１の把持部２２を持ち、モンキー等の工具２７を用いて引出し部２３に打撃力を付与することにより、割りピン１２の頭部１３を押込み部２４でキャップ金具３の孔１５に押し込むようにしている。
【００１３】
しかしながら、割りピン１２の頭部１３をキャップ金具３の孔１５に押し込む押込み部２４が帯板状の把持部２２の先端に設けられているため、治具２１の引出し部２３への打撃力の付与時の衝撃で、押込み部２４が割りピン１２の頭部１３から外れることが多い。その場合、治具２１の一部がその近傍に位置する碍子本体２の笠部６に接触し、その笠部６を破損するおそれがある。
【００１４】
そこで、本発明は前述の問題点に鑑みて提案されたもので、その目的とするところは、割りピンの着脱作業時、治具の一部が碍子本体の笠部に接触することなく、キャップ金具に対する割りピンの引き出しおよび押し込みを容易かつ確実に行い得る割りピン着脱治具を提供することにある。
【課題を解決するための手段】
【００１５】
前述の目的を達成するための技術的手段として、本発明は、碍子本体の一方の側にキャップ金具が固定され、碍子本体の他方の側にピン金具が固定された碍子を複数個配列させた状態で、隣接する二つの碍子のうち、一方の碍子におけるキャップ金具と他方の碍子におけるピン金具とを連結する割りピンを着脱する割りピン着脱治具であって、棒状の治具本体の一端に設けられ、割りピンの環状頭部に引っ掛けられる鉤状フック部と、治具本体の他端に設けられ、割りピンの環状頭部に被せられる凹陥状カップ部と、治具本体のフック部とカップ部との間に設けられ、治具本体に沿って割りピンの着脱方向に打撃力が付与される打撃部とで構成されていることを特徴とする。
【００１６】
本発明に係る割りピン着脱治具では、キャップ金具とピン金具との連結状態を解除するに際して、鉤状フック部を割りピンの環状頭部に引っ掛ける。この状態で、打撃部により治具本体に沿って割りピンの引き出す方向に打撃力を付与し、鉤状フック部に引っ掛けられた割りピンの環状頭部を引き出す。このように、本発明では、鉤状フック部を割りピンの環状頭部に引っ掛ける以外に、治具本体の他の部位を碍子本体と非接触状態にすることで、碍子本体との接触による碍子本体の破損を防止でき、異なるサイズの碍子への適用も容易となる。また、割りピンの環状頭部に引っ掛ける部位を鉤状フック部としたことにより、割りピンの引き出し時に鉤状フック部が割りピンの環状頭部から外れることを回避でき、碍子本体との接触による碍子本体の破損を確実に防止できる。
【００１７】
また、キャップ金具とピン金具とを連結するに際しては、凹陥状カップ部を割りピンの環状頭部に被せる。この状態で、打撃部により治具本体に沿って割りピンの押し込み方向に打撃力を付与し、凹陥状カップ部に被せられた割りピンの環状頭部を押し込む。このように、本発明では、割りピンの環状頭部に被せられる部位を凹陥状カップ部としたことにより、割りピンの押し込み時に凹陥状カップ部が割りピンの環状頭部から外れることを回避でき、碍子本体との接触による碍子本体の破損を確実に防止できる。
【００１８】
本発明における打撃部は、治具本体に沿って延びる円環状スリット部で構成され、打撃力を付与するための工具をスリット部に挿入した状態で、工具をスリット部に沿って移動可能とし、スリット部の端部で工具を当接させることにより打撃力を付与可能とした構造が望ましい。このような構造を採用すれば、割りピンの着脱作業時、スリット部に挿入した工具を治具本体に沿って移動させ、そのスリット部の端部で工具を当接させることにより、割りピンの引き出し方向あるいは押し込み方向に打撃力を容易かつ確実に付与することができ、作業性の向上が図れる。
【００１９】
本発明において、治具本体のカップ部と打撃部との間に屈曲部を設け、屈曲部からカップ部までの先端部位と、屈曲部から打撃部までの基端部位とを平行配置した構造が望ましい。このような構造を採用すれば、割りピンをキャップ金具に押し込むに際して、屈曲部を逃げとして機能させることで、治具本体と碍子本体との間の隙間を大きくすることで、碍子本体との接触による碍子本体の破損をより一層確実に防止できる。また、屈曲部からカップ部までの先端部位と、屈曲部から打撃部までの基端部位とを平行配置したことで、割りピンの押し込み方向に打撃力を容易かつ確実に付与することができる。
【発明の効果】
【００２０】
本発明によれば、割りピンの引き出し時、鉤状フック部を割りピンの環状頭部に引っ掛ける以外に、治具本体の他の部位を碍子本体と非接触状態にすることで、碍子本体との接触による碍子本体の破損を防止でき、異なるサイズの碍子への適用も容易となる。また、割りピンの環状頭部に引っ掛ける部位を鉤状フック部としたことにより、割りピンの引き出し時に鉤状フック部が割りピンの環状頭部から外れることを回避でき、碍子本体との接触による碍子本体の破損を確実に防止できる。また、割りピンの押し込み時、割りピンの環状頭部に被せられる部位を凹陥状カップ部としたことにより、割りピンの押し込み時に凹陥状カップ部が割りピンの環状頭部から外れることを回避でき、碍子本体との接触による碍子本体の破損を確実に防止できる。その結果、割りピンの引き出しおよび押し込みを容易かつ確実に行え、作業性に優れた割りピン着脱治具を提供できる。
【図面の簡単な説明】
【００２１】
【図１】本発明に係る割りピン着脱治具の実施形態を示す正面図である。
【図２】本発明治具により割りピンを引き出す前の状態を示す正面図である。
【図３】図２の左側面図である。
【図４】本発明治具により割りピンを引き出した後の状態を示す正面図である。
【図５】図４の左側面図である。
【図６】本発明治具により割りピンを押し込む前の状態を示す正面図である。
【図７】図６の左側面図である。
【図８】本発明治具により割りピンを押し込んだ後の状態を示す正面図である。
【図９】図８の左側面図である。
【図１０】ボールソケット型懸垂碍子の一例を示す部分断面を含む正面図である。
【図１１】懸垂碍子の連結状態を示す要部拡大断面図である。
【図１２】図１１の平面図である。
【図１３】懸垂碍子の連結を解除した状態を示す要部拡大断面図である。
【図１４】図１３の平面図である。
【図１５】割りピン着脱治具の従来例を示す正面図である。
【図１６】従来治具により割りピンを引き出す前の状態を示す正面図である。
【図１７】従来治具により割りピンを引き出した後の状態を示す正面図である。
【図１８】従来治具により割りピンを押し込む前の状態を示す正面図である。
【図１９】従来治具により割りピンを押し込んだ後の状態を示す正面図である。
【発明を実施するための形態】
【００２２】
本発明に係る割りピン着脱治具の実施形態を、図１〜図１４を参照しながら以下に詳述する。以下の実施形態では、治具を使用する対象物としてボールソケット型懸垂碍子を例示する。なお、本発明は、ボールソケット型懸垂碍子に限らず、割りピンを碍子から引き出すことにより分離可能で、割りピンを碍子に押し込むことにより連結可能な複数個の碍子に適用可能である。
【００２３】
本発明の対象であるボールソケット型懸垂碍子１は、図１０に示すように、磁器製の笠状碍子本体２と、その碍子本体２の上部に固定された金属製のキャップ金具３と、碍子本体２の下部に固定された金属製のピン金具４とで構成されている。この種の懸垂碍子１は、上下方向に複数個配列させた状態で、上側に位置する碍子本体２に固定されたピン金具４と、下側に位置する碍子本体２に固定されたキャップ金具３とを連結して送電線を絶縁支持する形態を具備する。
【００２４】
この懸垂碍子１の碍子本体２は、頭部５と笠部６とからなり、この頭部５の外周にキャップ金具３を被嵌してセメント材７で接着し、頭部５の内周にピン金具４を挿入してセメント材８で接着している。キャップ金具３は釣鐘状をなし、その上部にピン金具４が挿入配置される凹部９が形成されている。この凹部９は、ピン金具４が挿通可能なように上方に開口すると共に、ピン金具４が出し入れ可能なように側方に開口している（図１１および図１２参照）。キャップ金具３の下部には襞部１０が形成されている。ピン金具４は棒状をなし、その下端に大径部１１が形成されている。
【００２５】
懸垂碍子１の連結構造は、図１１および図１２に示すように、ピン金具４の大径部１１をキャップ金具３の凹部９に配置し、ピン金具４の大径部１１とキャップ金具４の凹部９の底面との間に割りピン１２を介在させる。これにより、ピン金具４の大径部１１をその大径部１１よりも幅狭となっている凹部９の上方開口周縁に押し当てることで、キャップ金具３に対してピン金具４を固定している。キャップ金具３とピン金具４とを連結状態で固定する割りピン１２は、環状の頭部１３とその頭部１３から延びる二つの脚部１４とからなり、その両脚部１４の先端を拡開させた形状をなす。この割りピン１２は、キャップ金具３の側部に形成されて凹部９と連通する孔１５に挿通され、その頭部１３がキャップ金具３の外部に露呈した状態で配置されている。
【００２６】
以上のように、キャップ金具３の凹部９に配置されたピン金具４の大径部１１を割りピン１２の脚部１４でキャップ金具３の上方開口周縁に押し当てることにより、キャップ金具３とピン金具４とを連結しているが、懸垂碍子１の交換時などにキャップ金具３とピン金具４との連結状態を解除する。その連結状態を解除する場合には、図１３および図１４に示すように、割りピン１２の頭部１３をキャップ金具３から引き出すことにより、割りピン１２の脚部１４が、ピン金具４の大径部１１とキャップ金具３の凹部９の底面との間に介在しなくなる。その結果、ピン金具４の大径部１１がキャップ金具３の上方開口周縁に押し当てられた状態が解除され、ピン金具４の大径部１１がキャップ金具３の凹部９の側方から抜脱可能となる。なお、割りピン１２の引き出し時、脚部１４の先端が拡開していることから、割りピン１２が完全にキャップ金具３の孔１５から抜け出てしまうことはない。キャップ金具３とピン金具４とを連結する場合には、ピン金具４をキャップ金具３を凹部９にその側方から挿入した状態で、割りピン１２の頭部１３をキャップ金具３に押し込むことにより、ピン金具４の大径部１１とキャップ金具３の凹部９の底面との間に割りピン１２の脚部１４を介在させればよい。
【００２７】
このように、割りピン１２の頭部１３を懸垂碍子１のキャップ金具３から引き出すことにより懸垂碍子１を分離可能にすると共に、割りピン１２の頭部１３を懸垂碍子１のキャップ金具３に押し込むことにより懸垂碍子１を連結可能にする手段として、以下のような構造の割りピン着脱治具（以下、単に治具と称す）を使用する。この実施形態における治具３１は、図１に示すように、丸棒状の金属製治具本体３２の一端に一体的に設けられ、割りピン１２の頭部１３に引っ掛けられる鉤状フック部３３と、治具本体３２の他端に一体的に設けられ、割りピン１２の頭部１３に被せられる凹陥状カップ部３４と、治具本体３２のフック部３３とカップ部３４との間の中央部位に一体的に設けられ、治具本体３２に沿って割りピン１２の着脱方向に打撃力が付与される打撃部である円環状スリット部３５とで構成されている。なお、この治具３１は、カップ部３４とスリット部３５との間に屈曲部３６を設け、屈曲部３６からカップ部３４までの先端部位３７と、屈曲部３６からスリット部３５までの基端部位３８とを平行配置した構造を具備する。
【００２８】
フック部３３は、治具本体３２の一端部を彎曲させた鉤状をなし、異なるサイズの懸垂碍子１に取り付けられた割りピン１２の頭部１３を引っ掛けることが可能な形状および大きさを有し、これにより、サイズが異なる各種の懸垂碍子１に対応可能としている。カップ部３４は、割りピン１２の頭部１３を囲撓するように収容可能なように凹陥状をなし、異なるサイズの懸垂碍子１に取り付けられた割りピン１２の頭部１３に被せることが可能な形状および大きさを有し、これにより、サイズが異なる各種の懸垂碍子１に対応可能としている。このカップ部３４の開口形状は、四角形や円形などが可能で任意である。スリット部３５は、治具本体３２に沿って延びる円環状をなし、打撃力を付与するためのモンキー等の工具２７をスリット部３５に挿入した状態で、工具２７をスリット部３５に沿って移動させてその彎曲端部３９で工具２７を当接させることにより打撃力を付与可能とした構造を具備する。なお、打撃部は、前述の円環状のスリット部３５に限らず、工具などにより打撃力を付与できる他の構造であってもよい。
【００２９】
以上の構造からなる治具３１を用いた碍子交換時の割りピン１２の着脱作業は、図２〜図９に示す要領で行われる。なお、図３、図５、図７および図９では、手前側に位置する懸垂碍子１を図示省略している。
【００３０】
まず、キャップ金具３とピン金具４との連結状態を解除するため、割りピン１２をキャップ金具３から引き出す。この割りピン１２をキャップ金具３から引き出すに際しては、図２および図３に示すように、治具本体３２の一端に設けられたフック部３３を、キャップ金具３の孔１５から露呈する割りピン１２の頭部１３に引っ掛ける。作業者は、この状態で治具本体３２の中央部位に設けられたスリット部３５にモンキー等の工具２７を挿入し、その工具２７をスリット部３５に沿って移動させ、そのスリット部３５の彎曲端部３９に当接させる。このようにして、スリット部３５の彎曲端部３９への工具２７の打撃力（引き出し力）を、割りピン１２の頭部１３の引き出し方向に沿ってフック部３３に作用させることにより、割りピン１２の頭部１３を懸垂碍子１のキャップ金具３の孔１５から引き出す（図４および図５参照）。
【００３１】
これにより、ピン金具４の大径部１１とキャップ金具３の凹部９の底面との間に介在していた割りピン１２の脚部１４を外すことで、ピン金具４の大径部１１がキャップ金具３の上方開口周縁に押し当てられた状態が解除され、ピン金具４の大径部１１がキャップ金具３の凹部９の側方から抜脱可能となる。その結果、キャップ金具３とピン金具４との連結状態が解除され、懸垂碍子１が分離可能となる。このように、割りピン１２をキャップ金具３から引き出す際には、フック部３３を割りピン１２の頭部１３に引っ掛ける以外に、治具本体３２の他の部位を碍子本体２と非接触状態にすることで、碍子本体２との接触による碍子本体２の破損を防止でき、異なるサイズの碍子１への適用も容易となる。また、割りピン１２の頭部１３に引っ掛ける部位を鉤状フック部３３としたことにより、割りピン１２の引き出し時にフック部３３が割りピン１２の頭部１３から外れることを回避でき、碍子本体２との接触による碍子本体２の破損を確実に防止できる。
【００３２】
一方、キャップ金具３とピン金具４とを連結するためには、割りピン１２をキャップ金具３に押し込む。この割りピン１２をキャップ金具３に押し込むに際しては、ピン金具４をキャップ金具３の凹部９にその側方から予め挿入配置しておく。そして、図６および図７に示すように、治具本体３２の一端に設けられたカップ部３４を、キャップ金具３の孔１５から引き出された割りピン１２の頭部１３に被せる。作業者は、その状態で治具本体３２の中央部位に設けられたスリット部３５にモンキー等の工具２７を挿入し、その工具２７をスリット部３５に沿って移動させ、そのスリット部３５の彎曲端部３９に当接させる。このようにして、スリット部３５の彎曲端部３９への工具２７の打撃力（押し込み力）を、割りピン１２の頭部１３の押し込み方向に沿ってカップ部３４に作用させることにより、割りピン１２の頭部１３を懸垂碍子１のキャップ金具３の孔１５に押し込む（図８および図９参照）。
【００３３】
これにより、ピン金具４の大径部１１とキャップ金具３の凹部９の底面との間に割りピン１２の脚部１４が入り込むことになり、キャップ金具３の凹部９に配置されたピン金具４の大径部１１を割りピン１２の脚部１４でキャップ金具３の上方開口周縁に押し当てることにより、キャップ金具３に対してピン金具４が固定され、懸垂碍子１が連結可能となる。このように、割りピン１２をキャップ金具３に押し込む際には、割りピン１２の頭部１３に被せられる部位を凹陥状カップ部３４としたことにより、割りピン１２の押し込み時にカップ部３４が割りピン１２の頭部１３から外れることを回避でき、碍子本体２との接触による碍子本体２の破損を確実に防止できる。
【００３４】
この治具３１は、カップ部３４とスリット部３５との間に屈曲部３６を設けたことにより、割りピン１２をキャップ金具３に押し込むに際して、屈曲部３６を逃げとして機能させることで、治具本体３２と碍子本体２との間の隙間を大きくすることで、碍子本体２との接触による碍子本体２の破損をより一層確実に防止できる。また、屈曲部３６からカップ部３４までの先端部位３７と、屈曲部３６からスリット部３５までの基端部位３８とを平行配置したことで、割りピン１２の押し込み方向に打撃力を容易かつ確実に付与することができる。また、この治具３１では、割りピン１２の着脱作業時、スリット部３５に挿入した工具２７を治具本体３２に沿って移動させ、そのスリット部３５の彎曲端部３９で工具２７を当接させることにより、割りピン１２の引き出し方向あるいは押し込み方向に打撃力を容易かつ確実に付与することができ、作業性の向上が図れる。
【００３５】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００３６】
１  碍子（懸垂碍子）
２  碍子本体
３  キャップ金具
４  ピン金具
１２  割りピン
１３  環状頭部
２７  工具
３１  割りピン着脱治具
３２  治具本体
３３  鉤状フック部
３４  凹陥状カップ部
３５  打撃部（円環状スリット部）
３６  屈曲部
３７  先端部位
３８  基端部位
【図１】
2014050237.tif 000003
【図２】
2014050237.tif 000004
【図３】
2014050237.tif 000005
【図４】
2014050237.tif 000006
【図５】
2014050237.tif 000007
【図６】
2014050237.tif 000008
【図７】
2014050237.tif 000009
【図８】
2014050237.tif 000010
【図９】
2014050237.tif 000011
【図１０】
2014050237.tif 000012
【図１１】
2014050237.tif 000013
【図１２】
2014050237.tif 000014
【図１３】
2014050237.tif 000015
【図１４】
2014050237.tif 000016
【図１５】
2014050237.tif 000017
【図１６】
2014050237.tif 000018
【図１７】
2014050237.tif 000019
【図１８】
2014050237.tif 000020
【図１９】
2014050237.tif 000021